(57)【特許請求の範囲】
【請求項１】
電子部品が内蔵された筐体を壁面に取り付ける電子機器の取付構造において、壁面に固定されるベース板と、このベース板に対して長手方向が平行になるように保持され、かつ、長手方向にスライド自在な固定金具をこのベース板に設け、上記筐体の一辺をベース板に係合させるとともに、この一辺に対向する他辺に固定金具の一端を係合させ、固定金具の他端にネジを取り付けて、そのネジを回すことによって固定金具を上記ベース板に対して平行に移動させ、固定金具の一端とベース板とで筐体を挟み込むことによって筐体をベース板から浮かせることなく壁面に対して取り付けることを特徴とする電子機器の取付構造。
【請求項２】
上記筐体の背面のほぼ中央にケーブルの引き出し部が設けされており、この引き出し部を囲繞する弾性変形可能なシール部材を筐体の背面とベース板とで挟み、ベース板のほぼ中央にケーブルを通す開口を設け、この開口の裏面側を囲繞するようにコーキング剤を塗布した状態でベース板を壁面に固定するようにしたことを特徴とする請求項１に記載の電子機器の取付構造。
【発明の詳細な説明】
【技術分野】
【０００１】
本発明は、浴室テレビなどの電子機器を壁面に取り付ける電子機器の取付構造に関する。
【背景技術】
【０００２】
筐体内に電子部品が収納された電子機器を壁面に取り付ける場合には、壁面に予めベース板を固定し、ベース板に係合突起を設けるとともに、筐体の裏面に係合凹部を設けて、係合突起が係合凹部に嵌るように筐体をベース板に押し付け、さらにその状態で筐体を下方にずらすことにより、筐体が係合突起から外れないようにする構造が用いられる。
【０００３】
ところが、浴室テレビでは、テレビ信号用のケーブルや電力供給用のケーブルが筐体裏面のほぼ中央から引き出されており、そのケーブルの引き出し部から湯水が筐体内に進入しないように、弾性変形しうる環状のシール部材で引き出し部を囲繞している。
【０００４】
上記の取付構造では、筐体をベース板に押し付けた状態で筐体を下方にずらすので、その際にシール部材が変形してシール性が低下するという不具合が生じる。
【０００５】
一方、筐体を傾けた状態で、筐体の裏面上部をベース体の上部に係合させ、その係合部分を中心として筐体の姿勢を垂直に戻し、その後、筐体の下部とベース板の下部とを連結して筐体を壁面に取り付けるようにした構造が知られている（例えば、特許文献１参照）。
【先行技術文献】
【特許文献】
【０００６】
【特許文献１】特開２０１０−４１０８６号公報（図５）
【発明の概要】
【発明が解決しようとする課題】
【０００７】
上記特許文献１に示された取付構造では、筐体をベース板に対して下方にずらさないので、筐体の裏面にシール部材を取り付けていても、シール部材が変形しづらいという利点がある。
【０００８】
ところが、筐体を斜めにしてベース板の上部に係合させ、さらにその状態で筐体の姿勢を垂直に戻すためには、筐体と壁面との間にある程度の隙間を確保しなければならない。ところが、その隙間をコーキング剤で塞ごうとすると、筐体の全周にわたってコーキング剤を施工しなければならず、隙間からコーキング剤が内側に流れることもあり、多量のコーキング剤を必要とし、かつ、コーキング剤を塗布する作業工数が多くなるという不具合が生じる。
【０００９】
そこで本発明は、上記の問題点に鑑み、筐体の裏面にシール部材を取り付けてもシール部材が変形せず、かつ、筐体と壁面との間の隙間を可及的に狭くすることのできる電子機器の取付構造を提供することを課題とする。
【課題を解決するための手段】
【００１０】
上記課題を解決するために本発明による電子機器の取付構造は、電子部品が内蔵された筐体を壁面に取り付ける電子機器の取付構造において、壁面に固定されるベース板と、このベース板に対して長手方向が平行になるように保持され、かつ、長手方向にスライド自在な固定金具をこのベース板に設け、上記筐体の一辺をベース板に係合させるとともに、この一辺に対向する他辺に固定金具の一端を係合させ、固定金具の他端にネジを取り付けて、そのネジを回すことによって固定金具を上記ベース板に対して平行に移動させ、固定金具の一端とベース板とで筐体を挟み込むことによって筐体をベース板から浮かせることなく壁面に対して取り付けることを特徴とする。
【００１１】
筐体を固定金具とベース板とで挟むことによって筐体をベース板に固定する。その際、固定金具は移動するが、筐体はベース板に対して移動せず、そのため、筐体とベース板との間にシール部材が介在していても、シール部材が変形することはない。
【００１２】
なお、上記筐体の背面のほぼ中央にケーブルの引き出し部が設けされており、この引き出し部を囲繞する弾性変形可能なシール部材を筐体の背面とベース板とで挟み、ベース板のほぼ中央にケーブルを通す開口を設け、この開口の裏面側を囲繞するようにコーキング剤を塗布した状態でベース板を壁面に固定すれば、筐体の周囲をコーキング剤でシールしなくても、壁面とベース板との間に進入した湯水をこのコーキング剤でシールすることができる。
【発明の効果】
【００１３】
以上の説明から明らかなように、本発明は、壁面に固定したベース板に対して筐体をずらすことなく固定することができる。
【図面の簡単な説明】
【００１４】
【図１】ベース板と浴室テレビを示す図
【図２】II-II断面図
【図３】浴室テレビの背面を示す斜視図
【図４】IV-IV断面図
【発明を実施するための形態】
【００１５】
図１を参照して、Ｗは浴室の壁面であり、以下に説明する構造によって浴室テレビ３をこの壁面Ｗに取り付ける。取り付けのためのベース板１を壁面Ｗにビスによって固定する。
【００１６】
このベース板１には左右１対の固定金具２が取り付けられている。この固定金具２は上下方向に移動自在に保持されており、上端２１はカギ状に斜めに曲がっている。また下端２２はネジ穴が形成されており、そのネジ穴にネジ４が螺合する。
【００１７】
一方、ベース板１の下縁１１は斜め上方に折れ曲がっており、後述するように、浴室テレビ３の背面に形成した下部係合部がこの下縁１１に係合する。そして、同じく浴室テレビ３の背面に形成した上部係合部に固定金具の上端２１が係合することによって浴室テレビ３は上下方向から把持され、ベース板１に固定されることになる。
【００１８】
図２を参照して、ベース板１の中央には後述するケーブルが通される連絡通路Ｈに対応して開口１３が形成されており、その開口１３の周囲は１段前方に飛び出した環状のコーキング座１２が設けられている。ベース板１は上述のように、壁面Ｗに対してビスによって固定されるが、その固定の際に、コーキング座１２の背面側にコーキング剤５を塗布した状態でベース板１を壁面Ｗに固定する。すると、壁面Ｗとベース板１との間に湯水が進入しても、コーキング剤５によってシールされ、コーキング剤５で囲まれた内側に湯水が進入することを防止できる。
【００１９】
図３を参照して、浴室テレビ３の背面には上部係合部３１と下部係合部３２とが形成されており、ともに傾斜している。また、上記ネジ４を締める際に工具がネジ４に到達できるように凹部３３を形成した。また、浴室テレビ３の背面の略中央部分からケーブル３５が引き出されているが、その引き出し部分をスポンジ状のシール部材３４で囲った。
【００２０】
図４（ａ）に示すように、浴室テレビ３の下部係合部３２を下縁１１に載せるようにして係合させ、かつ浴室テレビ３をべース板１に押し付けると、上記シール部材３４は適度に圧縮される。この状態では上端２１は上部係合部３１に係合していないので、浴室テレビ３から手を離せば浴室テレビ３は前方に倒れて落下する。
【００２１】
この状態でネジ４を右回りに回すと、ネジ４に螺合している固定金具２の下端２２は下方に引っ張られ、その結果、固定金具２は下方にスライドする。すると、同図（ｂ）に示すように、固定金具２の上端２１が浴室テレビ３の上部係合部３１に係合する。浴室テレビ３は固定金具２の上端２１とベース板１の下縁１１とで上下方向から把持されることになり、浴室テレビ３は壁面Ｗに取り付けられることになる。なお、このあとは特に浴室テレビ３の周囲にコーキング剤を施工する必要がないので、工事の工数が少なくなり、かつ、最終的にコーキング剤が外部に露出しないので、仕上がりがきれいになる。
【００２２】
なお、本発明は上記した形態に限定されるものではなく、本発明の要旨を逸脱しない範囲内において種々の変更を加えてもかまわない。
【符号の説明】
【００２３】
１ ベース板
２ 固定金具
３ 浴室テレビ
４ ネジ
５ コーキング剤
１１ 下縁
１２ コーキング座
１３ 開口
２１ 上端
２２ 下端
３１ 上部係合部
３２ 下部係合部
３３ 凹部
３４ シール部材
３５ ケーブル
Ｈ 連絡通路
Ｗ 壁面
【図１】
0006415244.tif 000002
【図２】
0006415244.tif 000003
【図３】
0006415244.tif 000004
【図４】
0006415244.tif 000005